(57)【特許請求の範囲】
【請求項１】
ＩＳＤＮ加入者線のＳ／Ｔ点インタフェースをＲ点インタフェースに変換するＳ／Ｔ点インタフェース変換手段と、Ｒ点インタフェースに加入者側の端末を接続する端末接続手段と、着信を拒否する相手の発信電話番号を記憶する第１の記憶手段と、電話をかけてきた相手の発信者番号が第１の記憶手段に登録された発信電話番号と一致する場合は着信を拒否する着信拒否手段と、最後に着信した相手の発信電話番号を記憶する第２の記憶手段と、端末接続手段に接続する端末から送られるデータを解釈し所定のコマンドデータに応じて第２の記憶手段に記憶された発信電話番号を第１の記憶手段に登録する電話番号登録手段とを備えて成ることを特徴とするターミナルアダプタ装置。
【請求項２】
上記端末接続手段は、Ｒ点インタフェースに電話機のようなアナログ端末を接続するアナログ端末接続手段からなり、上記データは、アナログ端末接続手段に接続するアナログ端末からＰＢ信号により入力されるデータであることを特徴とする請求項１記載のターミナルアダプタ装置。
【請求項３】
上記端末接続手段に接続する端末から発信電話番号の登録操作を行う際に、登録する発信電話番号を上書きしても良いか否かを示すパラメータを同時に入力しておき、電話番号登録手段は、第１の記憶手段に空き領域がない場合、上書き可のパラメータが設定された発信電話番号に新たな発信電話番号のデータを上書きし、第１の記憶手段に空き領域がなく、しかも第１の記憶手段に登録された発信電話番号のパラメータが全て上書き不可の場合、新たな発信電話番号の登録を中止することを特徴とする請求項１又は２記載のターミナルアダプタ装置。
【発明の詳細な説明】
【０００１】
【発明の属する技術分野】
本発明は、ＩＳＤＮ（統合サービス・ディジタル網）にアナログ電話機のようなアナログ端末やパーソナルコンピュータのようなデータ端末装置を接続するために用いるターミナルアダプタ装置に関するものである。
【０００２】
【従来の技術】
一般に、ターミナルアダプタ装置はＩＳＤＮ加入者線のＵ点に接続されたディジタル回線終端装置（ＤＳＵ）のＳ／Ｔ点に接続され、ＩＳＤＮ加入者線のＳ／Ｔ点インタフェースをＲ点インタフェースに変換することでＲ点インタフェースに接続するアナログ端末（アナログ電話機等）やデータ端末装置（パーソナルコンピュータ等）にＩＳＤＮのサービスを提供している。
【０００３】
従来のターミナルアダプタ装置は、例えば図３に示すような構成を有している。Ｕ点インタフェース部１はＩＳＤＮ加入者線１０のＵ点に接続され、Ｕ点インタフェースとＳ／Ｔ点インタフェースを変換するＤＳＵの機能と、Ｓ／Ｔ点インタフェースをＲ点インタフェースに変換する機能とを有し、ＩＳＤＮ機器１１を接続するＳ／Ｔ点インタフェース部２1，２2、並びにアナログ端末（例えばアナログ電話機）１２を接続するＲ点インタフェースたるアナログポート部（アナログ端末接続手段）３1，３2に接続されている。ここに、Ｕ点インタフェース部１により、ＩＳＤＮ加入者線１０のＳ／Ｔ点インタフェースをＲ点インタフェースに変換するＳ／Ｔ点インタフェース変換手段が構成される。
【０００４】
制御部４はＣＰＵを主構成要素とし、Ｕ点インタフェース部１を介してアナログポート部３1，３2に接続したアナログ端末１２に種々のサービスを提供する。ここで、アナログ端末１２に提供するサービスとしては、着信番号を識別して、予め登録された発信電話番号からの着信を拒否する迷惑電話防止機能があり、着信を拒否する発信電話番号（以下、この電話番号を迷惑電話防止用番号と言う。）をＥＥＰＲＯＭ等からなる記憶部５に記憶している。
【０００５】
上記従来装置において、迷惑電話防止用番号を登録する場合、アナログポート部３1，３2に接続したアナログ端末１２から所定のダイヤル操作を行うことによって迷惑電話防止用番号の登録を行う。すなわち、制御部４がアナログポート部３1，３2に接続したアナログ端末１２からＰＢ信号により送られるデータを解釈し、記憶部５に迷惑電話防止用番号を記憶させていた。例えばアナログ端末１２から、“＊＊１＊４＊”のような迷惑電話防止用番号の登録操作を示す番号に続けて、電話番号を記憶させる記憶部５のアドレス番地（例えば２５０）と、着信を拒否する電話番号（例えば０６０００１△△△）とを入力し、最後にＰＢ信号の終わりを示す“＃＃”を入力すると、制御部４が上記フォーマットのＰＢ信号により送られるコマンドデータを解釈し、記憶部５の２５１番地に着信を拒否する電話番号（例えば０６０００１△△△）を記憶させていた。
【０００６】
そして、電話がかかってきた場合、着信拒否手段たる制御部４はＵ点インタフェース部１を介して入力される発信電話番号と、記憶部５に登録されている迷惑電話防止用番号とを比較し、電話をかけてきた相手の発信電話番号が記憶部５に登録された番号と一致すると、Ｕ点インタフェース部１を制御してこの発信電話番号からの電話を受けないようにし、迷惑電話を防止していた。
【０００７】
【発明が解決しようとする課題】
上記構成のターミナルアダプタ装置では、アナログポート部３1，３2に接続するアナログ端末１２を用いて迷惑電話防止用番号の登録操作を行う場合、着信を拒否したい電話番号を利用者が記憶しておく必要があり、登録する電話番号を入力するのに手間がかかるという問題もあった。また、迷惑電話防止用番号を手作業で入力しているので、迷惑電話防止用番号を登録する際に誤った番号を登録してしまう虞があった。また、新たな迷惑電話防止番号を登録する際に、既に登録されている番号に上書きして、番号を消去してしまう虞もあった。
【０００８】
本発明は上記問題点に鑑みて為されたものであり、その目的とするところは、着信を拒否したい迷惑電話防止用番号を容易に登録することのできるターミナルアダプタ装置を提供するにある。また、請求項３の発明の目的とするところは、上記の目的に加えて、既に登録されている迷惑電話防止用番号が誤って消去されるのを防止したターミナルアダプタ装置を提供するにある。
【０００９】
【課題を解決するための手段】
上記目的を達成するために、請求項１の発明では、ＩＳＤＮ加入者線のＳ／Ｔ点インタフェースをＲ点インタフェースに変換するＳ／Ｔ点インタフェース変換手段と、Ｒ点インタフェースに加入者側の端末を接続する端末接続手段と、着信を拒否する相手の発信電話番号を記憶する第１の記憶手段と、電話をかけてきた相手の発信者番号が第１の記憶手段に登録された発信電話番号と一致する場合は着信を拒否する着信拒否手段と、最後に着信した相手の発信電話番号を記憶する第２の記憶手段と、端末接続手段に接続する端末から送られるデータを解釈し所定のコマンドデータに応じて第２の記憶手段に記憶された発信電話番号を第１の記憶手段に登録する電話番号登録手段とを備えて成ることを特徴とし、着信拒否手段は、電話をかけてきた相手の発信電話番号が第１の記憶手段に登録された番号に一致すると、この電話の着信を拒否しているので、いたずら電話などの迷惑電話がかかってくるのを防止できる。しかも、第２の記憶手段には最後に着信した相手の発信電話番号が記憶されており、電話番号登録手段は、端末接続手段に接続する端末から送られたコマンドデータに応じて第２の記憶手段に記憶された発信電話番号を第１の記憶手段に登録させているので、いたずら電話などの迷惑電話がかかってきた後に、端末接続手段に接続する端末を操作して、この端末から発信電話番号を登録するためのコマンドデータを入力すれば、第２の記憶手段に記憶された発信電話番号が第１の記憶手段に登録されるから、新たな発信電話番号を第１の記憶手段に登録する際に、番号の登録操作を行う利用者がその番号を記憶しておく必要がなく、また登録する番号そのものを利用者が入力しなくても良いから、入力の手間を省くことができ、入力ミスを防止できる。
【００１０】
請求項２の発明では、請求項１の発明において、上記端末接続手段は、Ｒ点インタフェースに電話機のようなアナログ端末を接続するアナログ端末接続手段からなり、上記データは、アナログ端末接続手段に接続するアナログ端末からＰＢ信号により入力されるデータであることを特徴とし、アナログ端末接続手段に接続するアナログ端末を用い、アナログ端末から入力されるＰＢ信号により着信を拒否する発信電話番号を設定することができる。
【００１１】
請求項３の発明では、請求項１又は２の発明において、上記端末接続手段に接続する端末から発信電話番号の登録操作を行う際に、登録する発信電話番号を上書きしても良いか否かを示すパラメータを同時に入力しておき、電話番号登録手段は、第１の記憶手段に空き領域がない場合、上書き可のパラメータが設定された発信電話番号に新たな発信電話番号のデータを上書きし、第１の記憶手段に空き領域がなく、しかも第１の記憶手段に登録された発信電話番号のパラメータが全て上書き不可の場合、新たな発信電話番号の登録を中止することを特徴とし、第１の記憶手段に登録する発信電話番号に対して、上書きしても良いか否かを示すパラメータをそれぞれ入力しており、電話番号登録手段は、第１の記憶手段に空き領域がない場合、上書き可のパラメータが設定された発信電話番号のデータに新たな発信電話番号を上書きするようにし、上書き可のパラメータが設定された発信電話番号がない場合は新たな発信電話番号の登録を中止しているので、残しておきたい発信電話番号のデータが自動的に上書きされるのを防止することができる。
【００１２】
【発明の実施の形態】
本発明の実施の形態を図１及び図２を参照して説明する。尚、本実施形態の基本構成は従来例と共通であるから、共通の構成要素には同一の符号を付して説明を省略する。
【００１３】
本実施形態は従来例と同様に、Ｕ点インタフェース部１、Ｓ／Ｔ点インタフェース部２1，２2、アナログポート部３1，３2、制御部４及び記憶部５を備えており、記憶部５の記憶領域５ａには、着信を拒否する相手の発信電話番号が複数個登録されている。ここに、記憶領域５ａから第１の記憶手段が構成される。
【００１４】
また、記憶部５には、最後に着信した相手の発信電話番号（例えば“０６−０００−１△△△”）を記憶する記憶領域５ｂが設けられており、この記憶領域５ｂから第２の記憶手段が構成される。
【００１５】
ここで、着信を拒否する発信電話番号（迷惑電話防止用番号）の登録操作を行う場合、アナログポート部３1，３2に接続されたアナログ端末１２から、“＊＊１＊４＊３００＃＃”というようなフォーマットのＰＢ信号を送信すると、電話番号登録手段たる制御部４が上記ＰＢ信号により送られるコマンドデータを解釈し、記憶領域５ｂに記憶されている発信電話番号を記憶領域５ａの空き領域（例えば記憶領域５ｂの２５１番地）に登録する。
【００１６】
そして、電話がかかってきた場合、制御部４ではＵ点インタフェース部１を介して入力される発信電話番号と、記憶部５に登録されている迷惑電話防止用番号とを比較し、電話をかけてきた相手の発信電話番号が記憶部５に登録された番号と一致すると、Ｕ点インタフェース部１を制御してこの発信電話番号からの電話を受けないようにし、迷惑電話を防止している。
【００１７】
上述のように記憶部５の記憶領域５ｂには最後に着信した相手の電話番号が記憶されているので、いたずら電話などの迷惑電話がかかってきた後に、利用者がアナログ端末１２から所定の番号を入力すれば、迷惑電話をかけてきた相手の発信電話番号を記憶部５の記憶領域５ａに登録させることができ、次回よりこの発信電話番号からの電話を受けないようにできる。しかも、発信電話番号を登録する際に、相手の発信電話番号を記憶しておき、その番号を入力する必要もないので、迷惑電話防止用番号の設定操作を容易に行うことができ、また発信電話番号そのものを入力しないで済むから、発信電話番号の入力誤りを防止することができる。
【００１８】
ところで、本実施形態では記憶部５の記憶領域５ａに登録可能な迷惑電話防止用番号の数が限られているので、記憶領域５ａに登録される迷惑電話防止用番号に対して、この番号を上書きしても良いか否かを示すパラメータ（例えば０又は１）をそれぞれ設け、迷惑電話防止用番号を登録する際に上記パラメータをＰＢ信号により同時に設定している。そして、新たな迷惑電話防止用番号を登録する際に記憶領域５ａに空き領域がない場合は、制御部４は上書き可のパラメータ（０）が設定された迷惑電話防止用番号の内何れかの番号（例えば最も若いアドレス番地に登録された番号）に新たな迷惑電話防止用番号を上書きする。一方、全ての迷惑電話防止用番号のパラメータが上書き不可に設定されており、上書き可のパラメータ（０）が設定された迷惑電話防止用番号がない場合、制御部４は新たな迷惑電話防止用番号の登録を中止する。ここで、迷惑電話防止用番号を登録する際に、アナログ端末１２から“＊＊１＊４＊３００＃＃”というフォーマットのＰＢ信号が入力された場合は、この迷惑電話防止用番号に対して自動上書き不可のパラメータ（１）を設定し、“＊＊１＊４＊３０１＃＃”というフォーマットのＰＢ信号が入力された場合は、この迷惑電話防止用番号に対して自動上書き可のパラメータ（０）を設定するものとする。
【００１９】
以下に、制御部４の動作を図２のフローチャートを参照して説明する。制御部４は、アナログポート部３1，３2に接続されたアナログ端末１２から入力されるＰＢ信号を常時監視しており（ステップＳ１）、“＊＊１＊４＊３００＃＃”又は“＊＊１＊４＊３０１＃＃”というフォーマットのＰＢ信号が入力されると、記憶部５の記憶領域５ｂに、最後に着信した相手の発信電話番号（発信者番号）が登録されているか否かを判別する（ステップＳ２）。ここで、記憶領域５ｂに発信電話番号が登録されている場合、制御部４は記憶領域５ａの各アドレスに迷惑電話防止用番号が登録されているか否かを判別し（ステップＳ３）、迷惑電話防止用番号が登録されていない空きアドレスがあれば、空きアドレスの内、アドレス番地の最も若い空きアドレスに、記憶領域５ｂに記憶されている発信電話番号を登録し（ステップＳ４）、ステップＳ７に移行する。
【００２０】
一方、表１に示すように記憶領域５ａの全てのアドレスに迷惑電話防止用番号が登録されており、空きアドレスがない場合、各アドレス番地に登録された迷惑電話防止用番号のパラメータを読み取り、自動上書き可のパラメータ（０）が設定された迷惑電話防止用番号があるか否かを判別する（ステップＳ５）。
【００２１】
【表１】
0004061017.tif 000002
【００２２】
ここで、自動上書き可のパラメータ（０）が設定された迷惑電話防止用番号があれば、その迷惑電話防止用番号が登録されたアドレス番地の内、最も番号の若いアドレス番地に、記憶領域５ｂに記憶されている発信電話番号を上書きして（ステップＳ６）、ステップＳ７に移行する。例えば表１では記憶領域５ａの２５１番地に登録されている迷惑電話防止用番号のパラメータが自動上書き可となっているので、制御部４は記憶領域５ａの２５１番地に記憶領域５ｂに記憶された迷惑電話防止用番号を登録する（表２参照）。
【００２３】
【表２】
0004061017.tif 000003
【００２４】
また、表３に示すように、迷惑電話防止用番号が登録されていない空きアドレスがなく、しかも自動上書き可のパラメータ（０）が設定された迷惑電話防止用番号がなければ、制御部４は迷惑電話防止用番号の登録を中止する。
【００２５】
【表３】
0004061017.tif 000004
【００２６】
次に制御部４は、ステップＳ１においてアナログ端末１２から入力されたＰＢ信号のフォーマットを判別し（ステップＳ７）、ＰＢ信号のフォーマットが“＊＊１＊４＊３００＃＃”であれば、ステップＳ４又はＳ６で登録した迷惑電話防止用番号に対して、自動上書き不可のパラメータ（１）を設定し（ステップＳ８）、ＰＢ信号のフォーマットが“＊＊１＊４＊３０１＃＃”であれば、ステップＳ４又はＳ６で登録した迷惑電話防止用番号に対して、自動上書き可のパラメータ（０）を設定して（ステップＳ９）、登録処理を終了する。尚、記憶領域５ｂの全てのアドレス番地に迷惑電話防止用番号が登録され、各迷惑電話防止用番号に設定されたパラメータが全て上書き不可となっている場合、新たな迷惑電話防止用番号を登録できなくなるが、アナログポート部３1，３2に接続するアナログ端末１２から所定のフォーマットのＰＢ信号を入力することによって、制御部４が、記憶部５の記憶領域５ａに登録された迷惑電話防止用番号を消去するようにしても良い。
【００２７】
また、本実施形態ではＤＳＵ機能を内蔵したターミナルアダプタ装置を例に説明を行ったが、ＤＳＵ機能を内蔵せず、外部に設けたＤＳＵのＳ／Ｔ点に接続され、ＩＳＤＮ加入者線のＳ／Ｔ点インタフェースをＲ点インタフェースに変換するターミナルアダプタ装置や、パーソナルコンピュータなどのデータ端末装置との間でシリアル伝送によりデータ伝送を行うシリアルポートを備えたターミナルアダプタ装置や、パーソナルコンピュータなどの複数のデータ端末装置を接続することのできるEthernetポートを備えたＩＳＤＮルータに本発明を適用しても良く、上述と同様の効果を得ることができる。
【００２８】
また更に、本実施形態のターミナルアダプタ装置では、アナログポート部３1，３2に接続されたアナログ端末１２からのＰＢ信号により迷惑電話防止用番号の自動登録を行っているが、パーソナルコンピュータなどのデータ端末装置が接続され、データ端末装置との間でシリアル伝送方式によりデータ伝送を行うデータ端末接続手段としてのシリアルポート（図示せず）を設け、このシリアルポートを介してデータ端末装置から入力されるコマンドデータに応じて、迷惑電話防止用番号の自動登録を行うようにしても良い。
【００２９】
【発明の効果】
上述のように、請求項１の発明は、ＩＳＤＮ加入者線のＳ／Ｔ点インタフェースをＲ点インタフェースに変換するＳ／Ｔ点インタフェース変換手段と、Ｒ点インタフェースに加入者側の端末を接続する端末接続手段と、着信を拒否する相手の発信電話番号を記憶する第１の記憶手段と、電話をかけてきた相手の発信者番号が第１の記憶手段に登録された発信電話番号と一致する場合は着信を拒否する着信拒否手段と、最後に着信した相手の発信電話番号を記憶する第２の記憶手段と、端末接続手段に接続する端末から送られるデータを解釈し所定のコマンドデータに応じて第２の記憶手段に記憶された発信電話番号を第１の記憶手段に登録する電話番号登録手段とを備えて成ることを特徴とし、着信拒否手段は、電話をかけてきた相手の発信電話番号が第１の記憶手段に登録された番号に一致すると、この電話の着信を拒否しているので、いたずら電話などの迷惑電話がかかってくるのを防止できるという効果がある。しかも、第２の記憶手段には最後に着信した相手の発信電話番号が記憶されており、電話番号登録手段は、端末接続手段に接続する端末から送られたコマンドデータに応じて第２の記憶手段に記憶された発信電話番号を第１の記憶手段に登録させているので、いたずら電話などの迷惑電話がかかってきた後に、端末接続手段に接続する端末を操作して、この端末から発信電話番号を登録するためのコマンドデータを入力すれば、第２の記憶手段に記憶された発信電話番号が第１の記憶手段に登録されるから、新たな発信電話番号を第１の記憶手段に登録する際に、番号の登録操作を行う利用者がその番号を記憶しておく必要がなく、また登録する番号そのものを利用者が入力しなくても良いから、入力の手間を省くことができ、入力ミスを防止できるという効果がある。
【００３０】
請求項２の発明は、請求項１の発明において、上記端末接続手段は、Ｒ点インタフェースに電話機のようなアナログ端末を接続するアナログ端末接続手段からなり、上記データは、アナログ端末接続手段に接続するアナログ端末からＰＢ信号により入力されるデータであることを特徴とし、アナログ端末接続手段に接続するアナログ端末を用い、アナログ端末から入力されるＰＢ信号により着信を拒否する発信電話番号を設定できるという効果がある。
【００３１】
請求項３の発明は、請求項１又は２の発明において、上記端末接続手段に接続する端末から発信電話番号の登録操作を行う際に、登録する発信電話番号を上書きしても良いか否かを示すパラメータを同時に入力しておき、電話番号登録手段は、第１の記憶手段に空き領域がない場合、上書き可のパラメータが設定された発信電話番号に新たな発信電話番号のデータを上書きし、第１の記憶手段に空き領域がなく、しかも第１の記憶手段に登録された発信電話番号のパラメータが全て上書き不可の場合、新たな発信電話番号の登録を中止することを特徴とし、第１の記憶手段に登録する発信電話番号に対して、上書きしても良いか否かを示すパラメータをそれぞれ入力しており、電話番号登録手段は、第１の記憶手段に空き領域がない場合、上書き可のパラメータが設定された発信電話番号のデータに新たな発信電話番号を上書きするようにし、上書き可のパラメータが設定された発信電話番号がない場合は新たな発信電話番号の登録を中止しているので、残しておきたい発信電話番号のデータが自動的に上書きされるのを防止できるという効果がある。
【図面の簡単な説明】
【図１】本実施形態のターミナルアダプタ装置の概略構成図である。
【図２】同上の動作を説明するフローチャートである。
【図３】従来のターミナルアダプタ装置の概略構成図である。
【符号の説明】
１  Ｕ点インタフェース部
３1，３2  アナログポート部
４  制御部
５  記憶部
５ａ，５ｂ  記憶領域
１０  ＩＳＤＮ加入者線
１２  アナログ端末
【図１】
0004061017.tif 000005
【図２】
0004061017.tif 000006
【図３】
0004061017.tif 000007